(57)【要約】【課題】  複数種類の通信ネットワーク各々に対応する電話番号を使用可能な移動通信端末に対して、発ユーザが１つの電話番号を任意に選択して発信端末より発信を行った場合に、適切な通信ネットワークを使用して効率よく呼接続することのできる呼接続制御装置、管理サーバ、呼接続制御システム、及び、呼接続制御方法を提供する。【解決手段】  在圏管理サーバ１０の在圏エリア判定部１４は、着信端末５０への発信データを受信すると、着信端末５０が位置しているサービスエリアに対応する通信ネットワークの種類を判定し、接続ネットワーク選択部１５は接続すべき通信ネットワークの種類を選択する。接続番号判定部１６は、選択された通信ネットワークの種類に対応する電話番号を判定し、呼接続部１７は発信データに含まれる着信端末５０の電話番号を、判定された電話番号に置き換えて、選択された通信ネットワークに転送する。【選択図】  図１
2005244463.tif 000002
【特許請求の範囲】
【請求項１】
複数種類の通信ネットワーク各々に対応する電話番号を使用可能な移動通信端末への呼接続を制御する呼接続制御装置において、
発信端末より、着信端末が使用可能な電話番号のうちのひとつを含む発信データを受信した場合に、該着信端末が位置しているサービスエリアに対応する通信ネットワークの種類を判定する在圏エリア判定手段と、
前記在圏エリア判定手段により判定された通信ネットワークの種類に基づいて、接続先として使用すべき通信ネットワークを選択する接続ネットワーク選択手段と、
前記接続ネットワーク選択手段により選択された、接続先として使用すべき通信ネットワークに対応する、前記着信端末の電話番号を判定する接続番号判定手段と、
前記発信データに含まれる着信端末の電話番号を、前記接続番号判定手段により判定された電話番号に置き換えてから、該発信データを前記接続ネットワーク選択手段により選択された通信ネットワークに転送する呼接続手段と
を備えることを特徴とする呼接続制御装置。
【請求項２】
前記移動通信端末が現在位置しているサービスエリアに対応する通信ネットワークの種類を表す情報を記憶する在圏エリア情報記憶手段と、
前記移動通信端末が使用可能な電話番号各々に対応する通信ネットワークの種類を記憶する加入者情報記憶手段と、
前記移動通信端末に対して呼接続する際に、優先して使用すべき通信ネットワークの種類を記憶する優先接続先記憶手段をさらに備え、
前記在圏エリア判定手段は、前記在圏エリア情報記憶手段に記憶されている情報に基づいて前記判定を行い、
前記接続番号判定手段は、前記加入者情報記憶手段に記憶されている情報に基づいて前記判定を行い、
前記接続ネットワーク選択手段は、
前記在圏エリア判定手段により判定された通信ネットワークの種類が複数存在する場合には、前記優先接続先記憶手段に記憶されている前記優先して使用すべき通信ネットワークの種類を接続先として選択することを特徴とする請求項１に記載の呼接続制御装置。
【請求項３】
複数種類の通信ネットワーク各々に対応する電話番号を使用可能な移動通信端末に対して呼接続する際に、接続先として使用すべき通信ネットワークの種類を選択するための情報を提供する管理サーバにおいて、
前記移動通信端末が使用可能な電話番号各々に対応する通信ネットワークの種類を記憶する加入者情報記憶手段と、
前記移動通信端末が現在位置しているサービスエリアに対応する通信ネットワークの種類を表す情報を記憶する在圏エリア情報記憶手段と、
前記移動通信端末に対して呼接続する際に、優先して使用すべき通信ネットワークの種類を記憶する優先接続先記憶手段と
を備えることを特徴とする管理サーバ。
【請求項４】
複数種類の通信ネットワーク各々に対応する電話番号を使用可能な移動通信端末への呼接続を制御する呼接続制御システムにおいて、
前記移動通信端末が使用可能な電話番号各々に対応する通信ネットワークの種類を記憶する加入者情報記憶手段と、
前記移動通信端末が現在位置しているサービスエリアに対応する通信ネットワークの種類を表す情報を記憶する在圏エリア情報記憶手段と、
前記移動通信端末に呼接続する際に、優先して使用すべき通信ネットワークの種類を記憶する優先接続先記憶手段と、
発信端末より、着信端末の電話番号を含む発信データを受信した場合に、前記在圏エリア情報記憶手段に記憶されている情報に基づいて、該着信端末が位置しているサービスエリアに対応する通信ネットワークの種類を判定する在圏エリア判定手段と、
前記優先接続先記憶手段に記憶されている情報に基づいて、前記在圏エリア判定手段により判定された通信ネットワークの種類の中から、接続先として使用すべき通信ネットワークを選択する接続ネットワーク選択手段と、
前記加入者情報記憶手段に記憶されている情報に基づいて、前記接続ネットワーク選択手段により選択された通信ネットワークに対応する、前記着信端末の電話番号を判定する接続番号判定手段と、
前記発信データに含まれる着信端末の電話番号を、前記接続番号判定手段により判定された電話番号に置き換えてから、該発信データを前記接続ネットワーク選択手段により選択された通信ネットワークに転送する呼接続手段と
を備えることを特徴とする呼接続制御システム。
【請求項５】
複数種類の通信ネットワークに対応する電話番号を利用可能な移動通信端末への呼接続を制御する呼接続制御方法において、
発信端末が、前記着信端末が使用可能な電話番号のうちのひとつを発信先として発信データを送信する発信ステップと、
呼接続制御システムが、前記発信ステップにおいて送信された発信データを受信した場合に、前記着信端末が位置しているサービスエリアに対応する通信ネットワークの種類を判定する在圏エリア判定ステップと、
前記呼接続制御システムが、前記在圏エリア判定ステップにおいて判定された通信ネットワークの種類に基づいて、接続先として使用すべき通信ネットワークの種類を選択する接続ネットワーク選択ステップと、
前記呼接続制御システムが、前記通信ネットワーク選択ステップにおいて選択された通信ネットワークの種類に対応する電話番号を判定する接続番号判定ステップと、
前記呼接続制御システムが、前記発信データに含まれる着信端末の電話番号を、前記接続番号判定手段により判定された電話番号に置き換えてから、該発信データを前記接続ネットワーク選択ステップにおいて選択された通信ネットワークに転送する呼接続ステップと
を有する呼接続制御方法。
【発明の詳細な説明】
【技術分野】
【０００１】
複数種類の通信ネットワーク各々に対応する電話番号を使用可能な移動通信端末への呼接続を制御する呼接続制御装置、管理サーバ、呼接続制御システム、及び、呼接続制御方法に関する。
【背景技術】
【０００２】
近年においては、複数種類の通信ネットワークを介して通信を行うことの可能な移動通信端末が普及してきている。このような移動通信端末としては、例えば、携帯電話網通信の機能とＷ−ＬＡＮ（wireless LAN）による通信機能との両方の通信機能を兼ね備えた移動通信端末が存在する。このような移動通信端末は、携帯電話網用の電話番号とＷ−ＬＡＮ用の電話番号とを保持しており、このどちらの電話番号でも発着信可能である。
【０００３】
このような複数の電話番号を使用可能な着信端末に対して、発信側のユーザ（以下「発ユーザ」という）が発信端末から発信する場合には、発ユーザは着信端末に発信可能な電話番号のうち、いずれか１つの電話番号を任意に選択して発信する。このときに、着信端末が、発ユーザが選択した電話番号に対応する通信ネットワークのサービスエリアに存在しなかった（以下「在圏していなかった」ともいう）場合には、発ユーザは再度別の電話番号で発信し直す必要があった。また、複数種類の通信ネットワークの重複エリアに着信端末が位置していた場合に、着信側のユーザ（以下「着ユーザ」という）には着信端末にどの電話番号で着信させるかを選択する権利や方法がなかった。このため、着ユーザは、発ユーザが発信した電話番号で着信させるしかなかった。
【０００４】
発ユーザが選択して発信した電話番号に対応する通信ネットワークのサービスエリア内に移動通信端末が在圏していなかった場合に、発ユーザが再度別の電話番号で発信し直すことを回避するための従来技術は、例えば、特許文献１に開示されている。特許文献１には、発信端末が複数の異なる領域番号を有している着信端末に対して、１つの領域番号で発信して接続できない場合に、発信端末が自動的に他の領域番号にかけ直すという技術内容が記載されている。
【特許文献１】特開平９−１８１８１６号公報（要約）
【発明の開示】
【発明が解決しようとする課題】
【０００５】
しかしながら、特許文献１に記載されている技術においては、発信端末が、着信端末が領域内に存在しないと判断する条件は、発信してから一定時間経過しても応答がない場合や、交換機から着信端末が領域内に存在しない旨の通知を受けた場合であるために、判断までに時間がかかっていた。また、さらに、発信端末は、着信端末が領域内に存在しないと判断した後に、一旦局線を切断してから他の領域番号で再ダイヤルする手間がかかっていた。このため、発信端末が着信端末と呼接続するまでに、かなりの時間と処理負荷とがかかっていた。
【０００６】
本発明は上記課題に鑑みてなされたものであり、複数種類の通信ネットワーク各々に対応する電話番号を使用可能な移動通信端末に対して、発ユーザが１つの電話番号を任意に選択して発信端末より発信を行った場合に、適切な通信ネットワークを使用して効率よく呼接続することのできる呼接続制御装置、管理サーバ、呼接続制御システム、及び、呼接続制御方法を提供することを目的とする。
【課題を解決するための手段】
【０００７】
上記課題を解決するために、請求項１に記載の発明は、複数種類の通信ネットワーク各々に対応する電話番号を使用可能な移動通信端末への呼接続を制御する呼接続制御装置において、発信端末より、着信端末が使用可能な電話番号のうちのひとつを含む発信データを受信した場合に、該着信端末が位置しているサービスエリアに対応する通信ネットワークの種類を判定する在圏エリア判定手段と、前記在圏エリア判定手段により判定された通信ネットワークの種類に基づいて、接続先として使用すべき通信ネットワークを選択する接続ネットワーク選択手段と、前記接続ネットワーク選択手段により選択された、接続先として使用すべき通信ネットワークに対応する、前記着信端末の電話番号を判定する接続番号判定手段と、前記発信データに含まれる着信端末の電話番号を、前記接続番号判定手段により判定された電話番号に置き換えてから、該発信データを前記接続ネットワーク選択手段により選択された通信ネットワークに転送する呼接続手段とを備えることを特徴とする呼接続制御装置を提供する。
【０００８】
請求項１に記載の発明によれば、呼接続制御装置は、発信データに含まれる着信端末の電話番号を、前記接続番号判定手段により判定された電話番号に置き換えてから、該発信データを接続ネットワーク選択手段により選択された通信ネットワークに転送するため、発ユーザが発信時に入力した電話番号と、接続番号判定手段により判定された電話番号とが異なる場合にも、発ユーザや発信端末が特別な操作や処理を行うことなく、接続ネットワーク選択手段により選択された通信ネットワークを使用して、効率的に呼接続を行うことができる。
【０００９】
このため、発ユーザは、着信端末が位置するサービスエリアを意識せずに電話番号を選択して発信端末より発信したとしても、再度異なる電話番号で発信し直しをすることなく着信端末と呼接続することができ、利便性が向上する。また、呼接続制御装置は、従来技術のように発信端末に判定結果を通知することなく、発信データを接続ネットワーク選択手段により判定された通信ネットワークに転送するため、発信端末に負荷をかけずに、効率よく短時間で着信端末と呼接続を行うことができる。
【００１０】
請求項２に記載の発明は、請求項１に記載の呼接続制御装置において、前記移動通信端末が現在位置しているサービスエリアに対応する通信ネットワークの種類を表す情報を記憶する在圏エリア情報記憶手段と、前記移動通信端末が使用可能な電話番号各々に対応する通信ネットワークの種類を記憶する加入者情報記憶手段と、前記移動通信端末に対して呼接続する際に、優先して使用すべき通信ネットワークの種類を記憶する優先接続先記憶手段をさらに備え、前記在圏エリア判定手段は、前記在圏エリア情報記憶手段に記憶されている情報に基づいて前記判定を行い、前記接続番号判定手段は、前記加入者情報記憶手段に記憶されている情報に基づいて前記判定を行い、前記接続ネットワーク選択手段は、前記在圏エリア判定手段により判定された通信ネットワークの種類が複数存在する場合には、前記優先接続先記憶手段に記憶されている前記優先して使用すべき通信ネットワークの種類を接続先として選択することを特徴とする。
【００１１】
請求項２に記載の発明によれば、呼接続制御装置は、自装置内に、着信端末に呼接続する際に接続先として使用すべき通信ネットワークの種類を判定するための情報を保持しているため、即座に接続先を判定することができ、着信端末と短時間で効率よく呼接続することができる。また、ユーザは、優先接続先記憶手段に、予め優先接続すべき通信ネットワークの種類を登録しておくことで、ユーザが希望する通信ネットワークを優先利用して呼接続を行うことができる。
【００１２】
請求項３に記載の発明は、複数種類の通信ネットワーク各々に対応する電話番号を使用可能な移動通信端末に対して呼接続する際に、接続先として使用すべき通信ネットワークの種類を選択するための情報を提供する管理サーバにおいて、前記移動通信端末が使用可能な電話番号各々に対応する通信ネットワークの種類を記憶する加入者情報記憶手段と、前記移動通信端末が現在位置しているサービスエリアに対応する通信ネットワークの種類を表す情報を記憶する在圏エリア情報記憶手段と、前記移動通信端末に対して呼接続する際に、優先して使用すべき通信ネットワークの種類を記憶する優先接続先記憶手段とを備えることを特徴とする管理サーバを提供する。
請求項３に記載の発明によれば、管理サーバは、着信端末に呼接続する際に使用すべき通信ネットワークの種類を判定するための情報を保持しているため、該判定を行う装置に対して判定のための情報を即座に提供することができ、効率的な呼接続制御を行うことができる。
【００１３】
請求項４に記載の発明は、複数種類の通信ネットワーク各々に対応する電話番号を使用可能な移動通信端末への呼接続を制御する呼接続制御システムにおいて、前記移動通信端末が使用可能な電話番号各々に対応する通信ネットワークの種類を記憶する加入者情報記憶手段と、前記移動通信端末が現在位置しているサービスエリアに対応する通信ネットワークの種類を表す情報を記憶する在圏エリア情報記憶手段と、前記移動通信端末に呼接続する際に、優先して使用すべき通信ネットワークの種類を記憶する優先接続先記憶手段と、発信端末より、着信端末の電話番号を含む発信データを受信した場合に、前記在圏エリア情報記憶手段に記憶されている情報に基づいて、該着信端末が位置しているサービスエリアに対応する通信ネットワークの種類を判定する在圏エリア判定手段と、前記優先接続先記憶手段に記憶されている情報に基づいて、前記在圏エリア判定手段により判定された通信ネットワークの種類の中から、接続先として使用すべき通信ネットワークを選択する接続ネットワーク選択手段と、前記加入者情報記憶手段に記憶されている情報に基づいて、前記接続ネットワーク選択手段により選択された通信ネットワークに対応する、前記着信端末の電話番号を判定する接続番号判定手段と、前記発信データに含まれる着信端末の電話番号を、前記接続番号判定手段により判定された電話番号に置き換えてから、該発信データを前記接続ネットワーク選択手段により選択された通信ネットワークに転送する呼接続手段とを備えることを特徴とする呼接続制御システムを提供する。
【００１４】
請求項５に記載の発明は、複数種類の通信ネットワークに対応する電話番号を利用可能な移動通信端末への呼接続を制御する呼接続制御方法において、発信端末が、前記着信端末が使用可能な電話番号のうちのひとつを発信先として発信データを送信する発信ステップと、呼接続制御システムが、前記発信ステップにおいて送信された発信データを受信した場合に、前記着信端末が位置しているサービスエリアに対応する通信ネットワークの種類を判定する在圏エリア判定ステップと、前記呼接続制御システムが、前記在圏エリア判定ステップにおいて判定された通信ネットワークの種類に基づいて、接続先として使用すべき通信ネットワークの種類を選択する接続ネットワーク選択ステップと、前記呼接続制御システムが、前記通信ネットワーク選択ステップにおいて選択された通信ネットワークの種類に対応する電話番号を判定する接続番号判定ステップと、前記呼接続制御システムが、前記発信データに含まれる着信端末の電話番号を、前記接続番号判定手段により判定された電話番号に置き換えてから、該発信データを前記接続ネットワーク選択ステップにおいて選択された通信ネットワークに転送する呼接続ステップとを有する呼接続制御方法を提供する。
【００１５】
請求項４及び５に記載の発明によれば、呼接続制御システムは、在圏エリア情報記憶手段や優先接続先記憶手段により予め管理されている情報に基づいて、接続先として使用すべき通信ネットワークの種類に対応する電話番号を判定し、さらに、発信データに含まれる着信端末の電話番号を、判定された電話番号に置き換えてから、該発信データを接続ネットワーク選択手段により選択された通信ネットワークに転送するため、発ユーザが発信時に入力した電話番号と、判定された電話番号とが異なる場合にも、発ユーザや発信端末が特別な操作や処理を行うことなく、接続ネットワーク選択手段により選択された適切な通信ネットワークを利用して、効率的に呼接続を行うことができる。
【発明の効果】
【００１６】
本発明によれば、発信データに含まれる着信端末の電話番号を接続番号判定手段により判定された電話番号に置き換えてから、該発信データを接続ネットワーク選択手段により選択された通信ネットワークに転送するため、発ユーザが発信時に選択した電話番号と、接続番号判定手段により判定された電話番号とが異なる場合にも、発ユーザや発信端末が特別な操作や処理を行うことなく、接続ネットワーク選択手段により選択された適切な通信ネットワークを使用して効率的に呼接続を行うことができる。このため、発ユーザは異なる電話番号を入力して発信し直しを行う必要がなくなり、利便性が向上する。また、ユーザは、優先接続先記憶手段に、予め優先接続すべき通信ネットワークの種類を登録しておくことによって、ユーザが希望する通信ネットワークを優先利用して着信処理を行うことができる。
【発明を実施するための最良の形態】
【００１７】
次に、図面を参照しながら、本発明の実施の形態について説明する。なお、以下の説明において参照する各図においては、他の図と同等部分に同一符号が付されている。
［１．構成］
［１．１．全体構成］
図１は、本発明の実施形態に係る呼接続制御システム１全体の構成を示すブロック図である。同図に示すように、呼接続制御システム１は、在圏管理サーバ１０と、関門交換機２０と、携帯電話網３０における無線通信の呼接続制御を行う交換機３１と、Ｗ−ＬＡＮ４０における無線通信の呼接続制御を行う交換機４１と、これらの携帯電話網３０とＷ−ＬＡＮ４０との２種類の通信ネットワークを介して通信することが可能な移動通信端末５０ｂ、５０ｃとを含んで構成される。
【００１８】
以下の説明では、移動通信端末５０ｂ，５０ｃを特に区別して説明する必要がない場合には、「移動通信端末５０」と表記する。また、移動通信端末５０が着信側の端末である場合には「着信端末５０」と表記する。
在圏管理サーバ１０、関門交換機２０、交換機３１、交換機４１、及び、移動通信端末５０は、ＣＰＵ（Central Processing Unit）、メモリ、及び、通信インターフェースを含んで構成され、一般的なコンピュータのハードウェア構成を備えている。
【００１９】
［１．２．在圏管理サーバ］
次に、在圏管理サーバ１０の構成について詳細に説明する。在圏管理サーバ１０のメモリには、本発明に係る機能を実現するためのプログラムが記憶されている。これらのプログラムを在圏管理サーバ１０のＣＰＵが実行することにより実現される機能と、在圏管理サーバ１０が備えるハードウェアやソフトウェアの機能とにより、図２に示す機能部が在圏管理サーバ１０に実現される。同図に示すように、在圏管理サーバ１０は、加入者情報記憶部１１と、在圏エリア情報記憶部１２と、優先接続先記憶部１３と、在圏エリア判定部１４と、接続ネットワーク選択部１５と、接続番号判定部１６と、呼接続部１７とを備えている。
【００２０】
加入者情報記憶部１１は、移動通信端末５０が使用可能な電話番号各々に対応する通信ネットワークの種類（通信ベアラ）を管理する。
ここで「電話番号」とは、移動通信端末５０を所有するユーザが、ある種類の通信ネットワークサービスに加入契約することにより、移動通信端末５０が当該通信ネットワークを使用できるように通信事業者から発行された識別番号である。また、電話番号が「使用可能」とは、移動通信端末５０が、当該電話番号に対応する通信ネットワークのサービスエリアに在圏している場合に、当該電話番号で発着信可能であることを意味する。
【００２１】
加入者情報記憶部１１は、図３に示す番号データテーブルを保持している。当該番号データテーブルには、移動通信端末５０のユーザを識別するための識別子を表す「ユーザ」と、移動通信端末５０を携帯電話網３０において識別するための電話番号を表す「携帯電話」と、移動通信端末５０をＷ−ＬＡＮ４０において識別するための電話番号を表す「Ｗ−ＬＡＮ」とのデータ項目が設けられている。この番号データテーブルには、各通信ネットワーク３０、４０で管理されている加入者情報が収集されて登録される。
【００２２】
在圏エリア情報記憶部１２は、移動通信端末５０が使用可能な電話番号と、移動通信端末５０が位置しているサービスエリアに対応する通信ネットワークを表す情報とを対応付けて管理する。具体的には、在圏エリア情報記憶部１２は、図４に示す在圏エリアテーブルを保持している。当該在圏エリアテーブルには、移動通信端末５０のユーザ識別子を表す「ユーザ」と、移動通信端末５０が位置するサービスエリア名を表す「在圏」とのデータ項目が設けられている。「在圏」に格納されるサービスエリア名は、当該名称により通信ネットワークの種類を判定することが可能なように定義されている。例えば、“ＣＳ”を含むエリア名は携帯電話網３０のエリア名であり、“ＰＳ”を含むエリア名はＷ−ＬＡＮ４０のエリア名である。
【００２３】
当該在圏エリアテーブルに記憶される情報は、各通信ネットワーク３０、４０に設けられている、図示せぬＨＬＲ（Home Location Register）やＨＡ（Home Agent）等の位置情報管理サーバより収集されて登録される。なお、在圏エリアテーブルに格納する情報を独自に収集する仕組みを、在圏管理サーバ１０に構築するようにしてもよい。
優先接続先記憶部１３は、移動通信端末５０に対して呼接続する際に、優先して使用すべき通信ネットワークの種類を記憶する。具体的には、優先接続先記憶部１３は、図５に示す優先接続先テーブルを保持している。当該優先接続先テーブルには、移動通信端末５０のユーザ識別子を表す「ユーザ」と優先接続先の通信ネットワークを表す「優先接続先」とのデータ項目が設けられている。この優先接続先テーブルには、ユーザの希望に応じて、ユーザが端末より入力した情報が送信されて格納される。あるいは、予め、優先接続先テーブルの「優先接続先」には、デフォルトで何らかの通信ネットワーク名が設定されており、ユーザの希望により端末から変更することができるようにしてもよい。
【００２４】
在圏エリア判定部１４は、発ユーザが発信端末に着信端末５０の電話番号を入力して発信したことにより、在圏管理サーバ１０が着信端末５０の電話番号を含む発信データを受信した場合に、在圏エリア情報記憶部１２が保持する在圏エリアテーブルに基づいて、着信端末５０が位置しているサービスエリアに対応する通信ネットワークの種類を判定する。
【００２５】
接続ネットワーク選択部１５は、在圏エリア判定部１４により判定された通信ネットワークの種類の中から、接続先の通信ネットワークの種類を選択する。選択方法としては、在圏エリア判定部１４により判定された通信ネットワークの種類が１つの場合には、接続ネットワーク選択部１５は、当該１つの通信ネットワークの種類をそのまま選択する。また、在圏エリア判定部１４により判定された通信ネットワークの種類が複数の場合には、接続ネットワーク選択部１５は、優先接続先記憶部１３が保持する優先接続先テーブルに基づいて優先接続先を判定する。なお、接続ネットワーク選択部１５は、他のルールや情報により接続先の通信ネットワークの種類を判定することもできる。
【００２６】
接続番号判定部１６は、加入者情報記憶部１１に記憶されている情報に基づいて、接続ネットワーク選択部１５により選択された、接続先の通信ネットワークの種類に対応する、着信端末５０の電話番号を判定する。
呼接続部１７は、発信データに含まれる着信端末の電話番号が、接続番号判定部１６により判定された電話番号と異なる場合には、発信データに含まれる着信端末の電話番号を、接続番号判定部１６により判定された電話番号に置き換えてから、当該発信データを接続ネットワーク選択部１５により選択された通信ネットワークに転送する。
【００２７】
［１．３．在圏管理サーバが行う呼接続制御処理］
次に、図６を参照しながら、在圏管理サーバ１０における呼接続制御処理の流れを説明する。
関門交換機２０は、発信端末より着信端末５０の電話番号を含む発信データを受信すると、在圏管理サーバ１０に対して、着信端末５０の電話番号による接続先の通信ネットワークの問合せを行うために、発信データを含む接続先問合せデータを送信する。
在圏管理サーバ１０が接続先問合せデータを受信すると、まず、在圏管理サーバ１０の在圏エリア判定部１４は、接続先問合せデータに含まれる着信端末５０の電話番号より着信端末５０のユーザ識別子を判定する。在圏エリア判定部１４は、当該ユーザ識別子に対応する在圏エリアを、在圏エリア情報記憶部１２が保持する在圏エリアテーブルより検索して、着信端末５０の在圏エリアを特定する。そして、在圏エリア判定部１４は、当該在圏エリアに対応する通信ネットワークの種類を判定する（ステップＳ１）。
【００２８】
次いで、接続ネットワーク選択部１５は、接続先の通信ネットワークの種類を選択する。具体的には、ステップＳ１において１つの通信ネットワークの種類が判定された場合には、接続ネットワーク選択部１５は、当該１つの通信ネットワークの種類をそのまま選択する。一方、ステップＳ１において通信ネットワークの種類が複数判定された場合には、接続ネットワーク選択部１５は、優先接続先記憶部１３が保持する優先接続先テーブルを参照して、ステップＳ１において判定された複数の通信ネットワークの種類の中から、１つの通信ネットワークの種類を選択する（ステップＳ２）。
【００２９】
続いて、接続番号判定部１６は、加入者情報記憶部１１が保持する番号データテーブルに格納されているデータの中から、ステップＳ２で選択した通信ネットワークの種類と着信端末５０のユーザ識別子とに対応する接続先番号を取得、決定する（ステップＳ３）。
呼接続部１７は、発信データに含まれる着信端末の電話番号が、ステップＳ３において接続番号判定部１６が判定した接続先番号と異なる場合には、発信データの電話番号を接続番号判定部１６が判定した電話番号に置き換える。呼接続部１７は、当該発信データを、接続先の通信ネットワークの交換ノードへ転送する。発信データを受信したそれぞれの通信ネットワークの交換ノードは、着信端末５０との呼接続処理（着信処理）を行う。
なお、呼接続部１７は、発信データに含まれる着信端末５０の電話番号を、一律、接続番号判定部１６が判定した接続先番号に置き換えるようにしてもよい。
【００３０】
［２．動作］
次に、上記構成における動作について説明する。
例として、図１に示す呼接続制御システム１において、固定電話機６０のユーザＡが、携帯電話網３０とＷ−ＬＡＮ４０とのいずれかのサービスエリアに位置する着信端末５０へ電話をかける場合を考える。
前提として、在圏管理サーバ１０の加入者情報記憶部１１には、図３に示すデータが格納された番号データテーブルが保持されているものとする。また、在圏管理サーバ１０の在圏エリア情報記憶部１２には、図４に示すデータが格納された在圏エリアテーブルが保持されているものとする。また、在圏管理サーバ１０の優先接続先記憶部１３には、図５に示す優先接続先データが格納された優先接続先テーブルが保持されているものとする。優先接続先テーブルに格納されているデータは、ユーザＢやユーザＣにより、優先着信させたい通信ネットワークの種類が事前に登録されたものである。
【００３１】
［２．１．１種類の通信ネットワークのサービスエリアに在圏するユーザに発信する場合］
固定電話機６０のユーザＡが、ユーザＣの移動通信端末５０ｃに対して“090-cccc-cccc”の番号で発信指示を行う場合を考える。
まず、ユーザＡが固定電話機６０を操作して、電話番号“090-cccc-cccc”を入力する。これにより、固定電話機６０は、移動通信端末（着信端末）５０ｃの電話番号“090-cccc-cccc”を含んだ発信データを、固定網を経由して着側の関門交換機２０に送信する。
着側の関門交換機２０は、在圏管理サーバ１０に発信データを含んだ接続先問合せデータを送信する（図６のステップＳ１）。
【００３２】
在圏管理サーバ１０は、接続先問合せデータを受信すると、着信端末５０ｃの電話番号より、着信端末５０ｃのユーザ識別子が“Ｃ”であることを判定する。在圏エリア判定部１４は、ユーザ識別子“Ｃ”と在圏エリア情報記憶部１２が保持する在圏エリアテーブルとに基づいて、着信端末５０ｃが位置しているサービスエリアに対応する通信ネットワークを判定する。
ここでは、在圏エリア判定部１４は、在圏エリアテーブルより、ユーザＣがＷ−ＬＡＮ４０の交換機４１がカバーするエリア「ＰＳ−１」に在圏していることを判定する（ステップＳ２）。
【００３３】
接続ネットワーク選択部１５は、在圏エリア判定部１４により判定されたエリアに対応する通信ネットワークの種類が１つであるため、接続先の通信ネットワークとしてＷ−ＬＡＮ４０を選択する（ステップＳ３）。
次に、接続番号判定部１６は、着信端末５０ｃにＷ−ＬＡＮ４０経由で接続するための電話番号を判定する。具体的には、接続番号判定部１６は、加入者情報記憶部１１が保持している図３に示す番号データテーブルから、Ｗ−ＬＡＮ４０に着信するための電話番号“050-CCCC-CCCC”を取得する（ステップＳ４）。
【００３４】
呼接続部１７は、発信データに含まれる着信端末５０ｃの加入者発番号“090-cccc-cccc”が、接続番号判定部１６で判定された接続先番号“050-CCCC-CCCC”と異なるため、発信データに含まれる着信端末５０ｃの加入者発番号“090-cccc-cccc”を、接続番号判定部１６で判定された接続先番号“050-CCCC-CCCC”に置き換える。そして、呼接続部１７は、置き換えた発信データをＷ−ＬＡＮ４０に向けて転送する。Ｗ−ＬＡＮ４０の交換機４１は、転送されたデータを受信し、着信端末５０ｃへの着信処理を行う。
なお、この例の場合には、ユーザＣの在圏エリアが１つだけであったため、優先接続先記憶部１３に記憶されている優先接続データは使用されない。
【００３５】
［２．２．複数種類の通信ネットワークのサービスエリアに在圏するユーザに発信する場合］
次に、固定電話機６０のユーザＡが、移動通信端末５０ｂを所有しているユーザＢの電話番号“090-bbbb-bbbb”を固定電話機６０に入力して、移動通信端末（着信端末）５０ｂ宛てに発信指示を行う場合を考える。
まず、ユーザＡは固定電話機６０を操作して電話番号“090-bbbb-bbbb”を入力する。これにより、固定電話機６０は、着信端末５０ｂの電話番号“090-bbbb-bbbb”を含んだ発信データを、固定網を経由して、着側の関門交換機２０に送信する。
着側の関門交換機２０は、発信データを受信すると、在圏管理サーバ１０に対して、発信データを含んだ接続先問合せデータを送信する。
【００３６】
在圏管理サーバ１０は、接続先問合せデータを受信すると、着信端末５０ｂの電話番号より、着信端末５０ｂのユーザ識別子が“Ｂ”であることを判定する。在圏エリア判定部１４は、ユーザ識別子“Ｂ”と在圏エリア情報記憶部１２が保持する在圏エリアテーブルとに基づいて、着信端末５０ｂが存在しているサービスエリアに対応する通信ネットワークを判定する（図６のステップＳ１）。
【００３７】
ここでは、図４に示すように、ユーザＢがサービスエリア“ＣＳ−１”と“ＰＳ−１”とに在圏しているため、在圏エリア判定部１４は、サービスエリアに対応する通信ネットワークの種類は、携帯電話網３０及びＷ−ＬＡＮ４０であると判定する。
接続ネットワーク選択部１５は、在圏エリア判定部１４が判定した通信ネットワークが２種類存在するために、これらの通信ネットワークの中から１つを接続先として選択する（ステップＳ２）。具体的には、接続ネットワーク選択部１５は、優先接続先記憶部１３に保持されている優先接続先テーブルを参照して、優先接続先となる通信ネットワークかを判定する。ここでは、図５に示すように、ユーザＢが事前に登録している優先接続先が“Ｗ−ＬＡＮ”であるので、接続ネットワーク選択部１５は、接続先としてＷ−ＬＡＮ４０を選択する。
【００３８】
接続番号判定部１６は、加入者情報記憶部１１が保持する図３に示す番号データテーブルから、Ｗ−ＬＡＮ４０に着信するための番号“050-BBBB-BBBB”を取得する（ステップＳ３）。
呼接続部１７は、発信データに含まれる着信端末５０ｂの加入者発番号“090-bbbb-bbbb”が、接続番号判定部１６で判定された接続先番号“050-BBBB-BBBB”と異なるため、発信データに含まれる着信端末５０ｃの加入者発番号“090-bbbb-bbbb”を、接続番号判定部１６で判定された接続先番号“050-BBBB-BBBB”に置き換える。そして、呼接続部１７は、置き換えた発信データをＷ−ＬＡＮ４０に向けて転送する。Ｗ−ＬＡＮ４０の交換機４１は転送されたデータを受信し、着信端末５０ｂへの着信処理を行う。
【００３９】
以上説明したように、ユーザＡは、移動通信端末５０に発信可能な電話番号のうち、一方の電話番号を固定電話機６０に入力して発信するのみで、在圏管理サーバ１０が、移動通信端末５０に呼接続する際に使用すべき適切な通信ネットワークを判定して、速やかに着信端末５０への呼接続処理を行う。このため、ユーザＡは異なる電話番号を再度入力して発信し直しをする必要がない。また着ユーザは事前に優先接続先を登録しておくことで希望の通信ネットワークを利用して着信することができ、利便性の高い呼接続処理を行うことができる。
なお、上述した例では、ユーザＡが固定電話機６０から電話をかける例を説明したが、ユーザＡは移動通信端末５０から電話をかけてもよい。
【００４０】
［３．変形例］
以上、本発明の実施形態について説明したが、本発明は係る実施形態に限定されるものではなく、その技術思想の範囲内で様々な変形が可能である。変形例としては、例えば、以下のようなものが考えられる。
（１）上述した実施形態においては、在圏管理サーバ１０が図２に示す全ての機能を備えているとして説明したが、呼接続制御システム１の各々の装置が備える機能はこれに限定されず、例えば、図７に示すように、在圏管理サーバ１０が加入者情報記憶部１１、在圏エリア情報記憶部１２、及び優先接続先記憶部１３のみを備えていて、関門交換機２０が在圏エリア判定部１４、接続ネットワーク選択部１５、接続番号判定部１６、及び、呼接続部１７の機能を備える構成でもよい。
【００４１】
この場合に、着側の関門交換機２０が発信端末より発信データを受信したときの呼接続処理の流れは、図８に示すシーケンスのようになる。
まず、着側の関門交換機２０は、発信端末より発信データを受信すると、在圏管理サーバ１０に在圏エリアの問合せデータＤ１を送信する。
在圏管理サーバ１０は、問合せデータＤ１を受信すると、加入者情報記憶部１１が保持する在圏エリアテーブルより、着信端末５０が在圏するエリアに対応する通信ネットワークの種類を判定して、当該情報を含んだ在圏エリア応答Ｄ２を返信する。
【００４２】
関門交換機２０が在圏エリア応答Ｄ２を受信すると、関門交換機２０の在圏エリア判定部１４は、在圏エリア応答Ｄ２に含まれる情報により、着信端末５０が位置しているサービスエリアに対応する通信ネットワークの種類を判定する（ステップＳ１１）。
次に、関門交換機２０の接続ネットワーク選択部１５は、着信端末５０が位置しているサービスエリアに対応する通信ネットワークの種類が複数存在する場合には、優先接続先を問い合わせるための問合せデータＤ３を送信する。
【００４３】
在圏管理サーバ１０は問合せデータＤ３を受信すると、優先接続先記憶部１３が保持する優先接続先テーブルより、着信端末５０の優先接続先として指定されている通信ネットワークの種類を読み出して、当該情報を含んだ優先接続先応答Ｄ４を返信する。
関門交換機２０の接続ネットワーク選択部１５は、受信した優先接続先応答Ｄ４に含まれる情報に基づいて、呼接続する際に使用すべき通信ネットワークの種類を選択する（ステップＳ１２）。
【００４４】
次に、関門交換機２０の接続番号判定部１６は、選択した通信ネットワークの種類に対応する電話番号を問い合わせるための問合せデータＤ５を送信する。
在圏管理サーバ１０は問合せデータＤ５を受信すると、加入者情報記憶部１１が保持する番号データテーブルより、選択された通信ネットワークの種類に対応する着信端末５０の電話番号を読み出す。在圏管理サーバ１０は、当該電話番号を含んだ接続先番号応答Ｄ６を返信する。
【００４５】
関門交換機２０の接続番号判定部１６は、受信した接続先番号応答Ｄ５に含まれる情報より、接続先番号を判定する（ステップＳ１３）。
関門交換機２０の呼接続部１７は、ステップＳ１３で判定された接続先番号と、発信データに含まれる着信端末５０の電話番号とが異なる場合には、発信データに含まれる着信端末５０の電話番号を接続先番号で置き換える（ステップＳ１４）。そして、関門交換機２０の呼接続部１７は、接続ネットワーク選択部１５により選択された通信ネットワークに向けて、発信データＤ７を転送する。
【００４６】
（２）上述した実施形態における移動通信端末５０は、携帯電話網３０とＷ−ＬＡＮ４０とに対応する電話番号を使用可能であるとして説明したが、移動通信端末５０が使用可能な電話番号はこれに限定されない。例えば、移動通信端末５０はＰＨＳ（Personal Handyphone System）の通信ネットワークに対応する電話番号を使用可能であってもよい。
【００４７】
（３）上述した実施形態における加入者情報記憶部１１が保持する番号データテーブルや、在圏エリア情報記憶部１２が保持する在圏エリアテーブルや、優先接続先記憶部１３が保持する優先接続先テーブルのデータ構成は一例に過ぎない。例えば、それぞれのテーブルのデータ項目である「ユーザ」は、複数の電話番号を使用可能な移動通信端末５０のユーザを一意に識別することができる情報であればよい。また、それぞれのテーブルのキー項目（それぞれのテーブルのデータを関連付ける項目）として「ユーザ」を用いたが、電話番号をキー項目として使用することもできる。また、在圏エリアテーブルのデータ項目である「在圏」にはエリア名ではなく、通信ネットワーク名が格納されるようにしてもよい。
【００４８】
（４）上述した実施形態においては、接続ネットワーク選択部１５は、優先接続先記憶部１３に記憶されている情報に基づいて、接続先として使用する通信ネットワークを選択するとして説明したが、これに限定されず、例えば、優先接続先記憶部１３に着信端末５０に対応する「優先接続先」が格納されておらず、かつ、在圏エリア判定部１４により判定された通信ネットワークの種類が複数存在した場合には、発ユーザが発信時に入力した電話番号に対応する通信ネットワークを接続先として選択するようにしてもよい。
【００４９】
（５）上述した実施形態においては、関門交換機２０は、在圏管理サーバ１０に着信端末５０の電話番号を含んだ接続先問合せデータを送信し、在圏管理サーバ１０が着信端末５０の電話番号より着信端末５０のユーザ識別子を判定するとして説明したが、これに限定されず、例えば、関門交換機２０が発信データを受信したときに着信端末５０の電話番号より着信端末５０のユーザ識別子を判定し、在圏管理サーバ１０に着信端末５０のユーザ識別子と電話番号とを含んだ接続先問合せデータを送信するようにしてもよい。
【産業上の利用可能性】
【００５０】
複数の無線ベアラサービスを提供する通信網での呼接続制御に利用することができる。
【図面の簡単な説明】
【００５１】
【図１】本発明の実施の形態に係る呼接続制御システム全体の構成を示すブロック図である。
【図２】同実施の形態に係る在圏管理サーバの機能構成を示すブロック図である。
【図３】同実施の形態に係る加入者情報記憶部が保持する番号データテーブルのデータ構成を示す図である。
【図４】同実施の形態に係る在圏エリア情報記憶部が保持する在圏エリアテーブルのデータ構成を示す図である。
【図５】同実施の形態に係る優先接続先記憶部が保持する優先接続先テーブルのデータ構成を示す図である。
【図６】同実施の形態に係る在圏管理サーバにおける呼接続処理の流れを説明するためのフローチャートである。
【図７】変形例に係る在圏管理サーバと関門交換との機能構成を説明するためのブロック図である。
【図８】変形例に係る関門交換機と在圏管理サーバにおける呼接続処理の流れを説明するためのシーケンスチャートである。
【符号の説明】
【００５２】
１０    在圏管理サーバ
１１    加入者情報記憶部
１２    在圏エリア情報記憶部
１３    優先接続先記憶部
１４    在圏エリア判定部
１５    接続ネットワーク選択部
１６    接続番号判定部
１７    呼接続部
２０    関門交換機
３０    携帯電話網
３１    交換機
４０    Ｗ−ＬＡＮ
４１    交換機
５０ｂ，５０ｃ，５０    移動通信端末（着信端末）
【図１】
2005244463.tif 000003
【図２】
2005244463.tif 000004
【図３】
2005244463.tif 000005
【図４】
2005244463.tif 000006
【図５】
2005244463.tif 000007
【図６】
2005244463.tif 000008
【図７】
2005244463.tif 000009
【図８】
2005244463.tif 000010